(57)【特許請求の範囲】
【請求項１】
天井に取り付ける照明器具と天井との間に設置され、略円筒形状の外周面を有するケーシングと、ケーシング内に装着された複数個のシロッコファンとを備え、ケーシングの外周面の上下にフランジを突設して外周面とフランジとで成す溝を形成すると共に、シロッコファンからの送風が溝に沿って排出される排出流路を形成し、この排出流路から外周面に連続する円弧状のコアンダ表面を排出流路内に形成し、排出流路内の空気流がコアンダ表面に誘導されて外周面に沿って回転し、空気流が室内の空気を撹拌するように構成した照明器具付シーリングファンにおいて、
ケーシングの上面で且つ各シロッコファンの位置に隣接する位置に空気取入口を開口し、各空気取入口に装着するフィルターと、各空気取入口から各シロッコファンの空気吸入口に連通する吸入流路と、を備え、各空気取入口に装着した各フィルターの下方に紫外線を照射する紫外線照射器を配置したことを特長とする照明器具付シーリングファン。
【請求項２】
前記フィルターを収納する収納ケースを形成し、この収納ケースを前記ケーシングの前記空気取入口に着脱自在に装着し、前記フィルターを収納した前記収納ケースの下方に、前記紫外線照射器を配置した請求項１記載の照明器具付シーリングファン。
【請求項３】
前記空気取入口は、前記ケーシングの上面に開口された形状が前記ケーシングの外周面に沿った平面帯形状又は連続する平面矩形状に形成された請求項１記載の照明器具付シーリングファン。
【発明の詳細な説明】
【技術分野】
【０００１】
本発明は、天井に設置された照明器具用のシーリングに取り付ける照明器具付シーリングファンに係り、空気清浄機の機能を有しながら照明器具と共にコンパクトに装着できる照明器具付シーリングファンに関する。
【背景技術】
【０００２】
天井に装着されたシーリングを利用して取付ける空気清浄器付照明器具が特許文献１に記載されている。この空気清浄機は、照明器具と天井との間に空気清浄機を配置したもので、空気吸入口と空気排出口とが上下二段に構成されている。そして、下段の空気吸入口にエアーフィルターを装着し、浄化した空気を上段の空気排出口から排出するものである。
【０００３】
また特許文献２に、シーリングに取付ける天井取付空気清浄機が記載されている。この空気清浄機は、ドーナツ形状に形成された空気清浄機の一方の側面に吸気口を形成し、この吸気口に装着されたフィルターで空気を浄化した後、空気清浄機の他方の側面に形成した吐出口から浄化した空気を排出する構成である。
【０００４】
特許文献３に、室内の空気を循環させる室内空気循環機が記載されている。この室内空気循環機は、室内の空気を循環させて室内上下の温度差を改善するように構成したものである。この室内空気循環機によると、天井に取り付けた室内空気循環機の下面から吸引した空気を、室内空気循環機の側面に形成した吹出口から排出して室内の空気を循環させる構成である。
【０００５】
一方、当出願人は先に、特許文献４に記載の照明器具付シーリングファンを提案している。このシーリングファンは、流体が近くの壁面に付着しようとするコアンダ効果（側壁効果、側壁付着現象とも称する）を利用したものである。このシーリングファンにより、風を感じることなく室内の空気を撹拌して、室内の温度の偏りを少なくすることができるようになった。
【先行技術文献】
【特許文献】
【０００６】
【特許文献１】実用新案登録第３０９５３５８号公報
【特許文献２】特開平１１-３３７１３７号公報
【特許文献３】実開昭６２-１２４３６号公報
【特許文献４】特許第６４６２１７５号公報
【発明の概要】
【発明が解決しようとする課題】
【０００７】
特許文献１に記載の空気清浄機のように、空気吸入口と空気排出口とを上下二段に構成すると装置全体が厚くなり、天井のシーリングに装着すると天井面から下方に大きく張り出す構成にならざるを得ない。そのため、この空気清浄機の下に装着した照明器具の位置が、天井面から大きく離れた位置になる不都合がある。
【０００８】
特許文献２の空気清浄機は、空気清浄機の側面の一方から吸気した空気を側面の他方から排出する構成である。このように、空気を一方向に向けて排出する構成では、空気を清浄化することは可能でも、空気の排出方向が一方的なので、室内の温度の偏りを少なくするシーリングファンとして使用することは難しい。
【０００９】
特許文献３の室内空気循環機は、室内空気循環機のケーシングの下面に開口した吸引口から室内の空気を取り込む構成である。そのため、照明器具を装着するには、このケーシングの中に収納される蛍光灯などの照明器具に制限される。したがって、一般に使用されている天井装着用の照明器具とこの室内空気循環機とを組み合わせることはできない構成である。
【００１０】
特許文献４のシーリングファンは、風を感じることなく室内の空気を撹拌して室内の温度の偏りを少なくすることができる。更に、このシーリングファンは、天井に取り付ける照明器具と天井との間に設置するものであるから、極めてコンパクトな装着が可能である。そのため、このシーリングファンに空気清浄機を備えるには、従来のような装置全体が厚くなるような構成ではなく、コンパクトな装着が可能になり、しかも、空気の撹拌作用の妨げにならない構成が要求される。
【００１１】
そこで本発明は、上述の課題を解消すべく創出されたもので、空気清浄機の機能を有しながらコンパクトな装着が可能になり、しかも空気撹拌作用の妨げにならず、各種の天井用照明器具との組み合わせも容易になる照明器具付シーリングファンの提供を目的とするものである。
【課題を解決するための手段】
【００１２】
上述の目的を達成すべく本発明における第１の手段は、天井のシーリングに取り付ける照明器具と天井との間に設置され、略円筒形状の外周面１５を有するケーシング１０と、ケーシング１０内に装着された複数個のシロッコファン２０とを備え、ケーシング１０の外周面１５の上下にフランジ１６を突設して外周面１５とフランジ１６とで成す溝を形成すると共に、シロッコファン２０からの送風が溝に沿って排出される排出流路１３を形成し、この排出流路１３から外周面１５に連続する円弧状のコアンダ表面１４を排出流路１３内に形成し、排出流路１３内の空気流がコアンダ表面１４に誘導されて外周面１５に沿って回転し、空気流が室内の空気を撹拌するように構成した照明器具付シーリングファンにおいて、ケーシング１０の上面で且つ各シロッコファン２０の位置に隣接する位置に空気取入口１１を開口し、各空気取入口１１に装着するフィルター３０と、各空気取入口１１から各シロッコファン２０の空気吸入口２１に連通する吸入流路１２と、を備え、各空気取入口１１に装着した各フィルター３０の下方に紫外線を照射する紫外線照射器４０を配置したことにある。
【００１４】
第２の手段において、前記フィルター３０を収納する収納ケース１７を形成し、この収納ケース１７を前記ケーシング１０の前記空気取入口１１に着脱自在に装着し、前記フィルター３０を収納した前記収納ケース１７の下方に、前記紫外線照射器４０を配置している。
【００１５】
第３の手段の前記空気取入口１１は、前記ケーシング１０の上面に開口された形状が前記ケーシング１０の外周面に沿った平面帯形状又は連続する平面矩形状に形成されたものである。
【発明の効果】
【００１７】
本発明の請求項１のごとく、排出流路１３内の空気流がコアンダ表面１４に誘導されて外周面１５に沿って回転し、空気流が室内の空気を撹拌するように構成した照明器具付シーリングファンにおいて、ケーシング１０の上面で且つ各シロッコファン２０の位置に隣接する位置に空気取入口１１を開口し、各空気取入口１１に装着するフィルター３０と、各空気取入口１１から各シロッコファン２０の空気吸入口２１に連通する吸入流路１２と、を備え、各空気取入口１１に装着した各フィルター３０の下方に紫外線を照射する紫外線照射器４０を配置したことにより、空気清浄機の機能を有しながらコンパクトな装着が可能になる。しかもコンパクトな装着が可能になり、各種の天井用照明器具との組み合わせも容易になる。
【００１８】
更に、各空気取入口１１に装着した各フィルター３０の下方に紫外線を照射する紫外線照射器４０を配置したことで、各フィルター３０を常に清潔に保つことができ、高い空気清浄能力を有する。
【００１９】
請求項２のように、前記フィルター３０を収納する収納ケース１７を形成し、この収納ケース１７を前記ケーシング１０の前記空気取入口１１に着脱自在に装着し、前記フィルター３０を収納した前記収納ケース１７の下方に、前記紫外線照射器４０を配置することで、フィルター３０を常に清潔に保ちながら、フィルター３０のメンテナンスも容易になる。
【００２０】
請求項３のごとく、空気取入口１１は、ケーシング１０の上面に開口された形状がケーシング１０の外周面に沿った平面帯形状又は連続する平面矩形状に形成されることで、空気取入口１１やフィルター３０の表面積を大きくすることが可能になる。
【００２１】
このように、ケーシング１０は、略円筒形状を成す外周面１５の上下端部にフランジ１６を突設して外周面１５とフランジ１６とで成す溝を形成すると共に、外周面１５に連続する円弧状のコアンダ表面１４を排出流路１３に形成し、排出流路１３から送風された空気流がコアンダ表面１４に誘導されて外周面１５に沿って回転し、該空気流が室内の空気を撹拌するように構成したことにより、空気清浄機の機能を有しながら空気撹拌作用の妨げにならずに済む。
【００２２】
すなわち、室内で撹拌された空気は、天井とケーシング１０の上面に沿ってフランジ１６の上から空気取入口１１に吸引され、清浄化された空気は、排出流路１３からケーシング１０の外周面１５とフランジ１６とで成す溝に沿って排出される。したがって、空気清浄機の機能を有しながら、空気流が室内の空気を撹拌する作用の妨げにならずに済む。
【図面の簡単な説明】
【００２３】
【図１】本発明の一実施例を示す斜視図である。
【図２】本発明の一実施例を示す要部側断面図である。
【図３】本発明の一実施例を示す要部底断面図である。
【図４】本発明の一実施例を示すフィルターの裏側の斜視図である。
【図５】本発明の他の実施例を記す平面図である。
【図６】本発明の他の実施例を記す平面図である。
【発明を実施するための形態】
【００２４】
本発明シーリングファンは、天井に設置されたシーリングに取り付ける照明器具Ｐと天井との間に配置するものである。照明器具Ｐは、シーリングライトやペンダントライトなどの種類を問わず、天井に取り付け可能な全ての照明器具Ｐとする。
【００２５】
本発明の主な構成は、ケーシング１０、シロッコファン２０、フィルター３０、紫外線照射器４０等を備えたものである（図１参照）。
【００２６】
ケーシング１０は、照明器具Ｐに固定する略円筒形状の外周面１５を有する部材で、照明器具Ｐと別体に形成する他、照明器具Ｐの一部構成をケーシング１０に利用することも可能である。ケーシング１０の形状は、直径に対して高さが極めて低い略円筒形状の外周面１５を有するものである。したがって円盤状の照明器具Ｐと組み合わせると照明器具Ｐとケーシング１０とが一体化しているような体を成す（図１参照）。
【００２７】
図示例では、ケーシング１０の中央部を開口したドーナツ形状に形成し、円盤形状を成した照明器具Ｐの上側に装着している（図１参照）。そして、ケーシング１０の開口部に表出した照明器具ＰのソケットＰ１を介して照明器具Ｐごとケーシング１０をシーリングに取り付ける構成である。
【００２８】
ケーシング１０内には、複数個のシロッコファン２０が装着されている。そして、このシロッコファン２０の空気排出口２２からケーシング１０の外周面１５に開口する排出流路１３を設けている。
【００２９】
更に、このケーシング１０の上面で且つシロッコファン２０に隣接する位置に空気取入口１１を開口している（図２参照）。この空気取入口１１にＨＥＰＡフィルター等の集塵用のフィルター３０が装着されている。図示のフィルター３０は、等間隔のプリーツが形成されているが、フィルター３０の材質や形状等は任意に選択できる。
【００３０】
図示例では、フィルター３０を収納する収納ケース１７を形成している（図１、図４参照）。そして、フィルター３０を収納した収納ケース１７を、空気取入口１１にスライド自在に装着する構成である（図１参照）。図示の収納ケース１７は枠体状を成し、収納ケース１７の内側に設けた支持材１７Ａ上にフィルター３０を載置する構成である（図４参照）。フィルター３０の交換は、ケーシング１０から収納ケース１７を引き出し、収納ケース１７内のフィルター３０を交換する。また、この収納ケース１７ごとフィルター３０を交換することも可能である。
【００３１】
更に、空気取入口１１に装着したフィルター３０の下方には、紫外線照射器４０を配置している（図２、図４参照）。この紫外線照射器４０は、紫外線を照射してフィルター３０を殺菌するものである。図示例では、フィルター３０に紫外線を効率的に照射するため、収納ケース１７の内側に設けた支持材１７Ａを菱形形状に形成している（図４参照）。このように形成することで、収納ケース１７に収納されたフィルター３０の内側面の中央部分全体に紫外線を効率的に照射することができる。尚、収納ケース１７の形状や紫外線照射器４０の位置等は任意に変更することが可能である。
【００３２】
また、紫外線照射器４０には、紫外線を照射する各種ランプを選択使用することができる。例えば、蛍光灯殺菌ランプ、ＵＶ‐ＬＥＤなどである。これら各種ランプの紫外線照射により、フィルター３０を清潔に保つことができる。
【００３３】
更に、ケーシング１０内には、空気取入口１１からシロッコファン２０の空気吸入口２１に連通する吸入流路１２が設けられている（図２参照）。一方、シロッコファン２０の空気排出口２２に連通する排出流路１３が設けられている（図３参照）。この排出流路１３は、ケーシング１０の外周面１５に向けて開口するもので、シロッコファン２０が作動すると、ケーシング１０上面の空気取入口１１から吸入された空気が、フィルター３０で清浄化された後、吸入流路１２から排出流路１３を経てケーシング１０の外周面１５方向に排出される。
【００３４】
図１に示す空気取入口１１の形状は平面矩形状を成しているが、空気取入口１１の形状を任意に変更することが可能である。例えば、図５のように、空気取入口１１の形状を連続する平面矩形状に形成し、吸入流路１２で連結することも可能である。また、図６のごとく、空気取入口１１の形状を、ケーシング１０の外周面に沿った平面帯形状に形成することができる。このように空気取入口１１の形状やフィルター３０の形状を変更することで、空気取入口１１の開口面積等を任意に変更することができる。
【００３５】
更に、本発明シーリングファンでは、ケーシング１０の略円筒形状を成した外周面１５と円弧状のコアンダ表面１４とを利用して静かな空気流が室内の空気を撹拌するように構成している（図１参照）。すなわち、ケーシング１０は、略円筒形状を成した外周面１５の上下端部にフランジ１６を突設して外周面１５とフランジ１６とで成す溝を形成している。
【００３６】
更に、外周面１５に連続する円弧状のコアンダ表面１４を排出流路１３に形成する（図３参照）。そうすると、排出流路１３から送風された空気流がコアンダ表面１４に誘導されて外周面１５に沿って回転し、該空気流が室内の空気を撹拌するものである。この結果、風を感じることなく室内の空気を撹拌して室内の温度の偏りを少なくすることができる。したがって、空気取入口１１をケーシング１０の上面に形成することで、ケーシング１０の外周面１５から送風される空気流の妨げにならずに済む。
【００３７】
尚、本発明のシーリングファンの各部の構成は図示例に限定されるものではなく、本発明の要旨を変更しない範囲での設計変更は自由である。
【符号の説明】
【００３８】
Ｐ  照明器具
Ｐ１  ソケット
１０  ケーシング
１１  空気取入口
１２  吸入流路
１３  排出流路
１４  コアンダ表面
１５  外周面
１６  フランジ
１７  収納ケース
２０  シロッコファン
２１  空気吸入口
２２  空気排出口
３０  フィルター
４０  紫外線照射器
【要約】
【課題】空気清浄機の機能を有しながらコンパクトな装着が可能になり、しかも空気撹拌作用の妨げにならない照明器具付シーリングファンを提供する。
【解決手段】天井に取り付ける照明器具Ｐと天井との間に略円筒形状のケーシング１０を配置する。ケーシング１０内からケーシング１０の外側面に開口した排出流路１３を設ける。ケーシング１０内にシロッコファン２０を装着する。シロッコファン２０から排出流路１３に空気を送風する。ケーシング１０の上面に空気取入口１１を開口する。空気取入口１１はシロッコファン２０に隣接する位置に開口する。空気取入口１１にフィルター３０を装着する。空気取入口１１からシロッコファン２０に連通する吸入流路を設ける。
【選択図】  図１【図１】
0006877799.tif 000002
【図２】
0006877799.tif 000003
【図３】
0006877799.tif 000004
【図４】
0006877799.tif 000005
【図５】
0006877799.tif 000006
【図６】
0006877799.tif 000007